(57)【要約】【課題】デバイス装置において、他の機器からの接続が電力供給のみの目的でなされた場合、該接続が確実になされたことを確信することができるようにする。【解決手段】操作入力を受け入れるための入力手段と、電源線を含む所定のバスを介して他の機器との接続を行うための接続手段とを備え、電源線を介して電力の供給を受けることが可能なデバイス装置において、接続手段を介して他の機器との接続がなされたとき、これに応じて、該他の機器からの操作を許容し、入力手段による操作入力の受入れを許否する第１の動作モードへ移行し（ステップ２１、２２）次に、該他の機器が電力供給のみを目的とする所定の機器であるか否かを判定し（ステップ２３）、該所定の機器であると判定した場合には該所定の機器からの電力供給を受けるとともに、入力手段による操作入力の受入れを許容する第２の動作モードへ移行する（ステップ２４）ように装置を制御するようにする。【選択図】図２
2010060678.tif 000002
【特許請求の範囲】
【請求項１】
操作入力を受け入れるための入力手段と、
電源線を含む所定のバスを介して他の機器との接続を行うための接続手段とを備え、
前記接続手段を介して接続された他の機器から前記電源線を介して電力の供給を受けることが可能なデバイス装置であって、
前記接続手段を介して他の機器との接続がなされたとき、これに応じて、該他の機器からの操作を許容し、前記入力手段による操作入力の受入れを許否する第１の動作モードへ移行し、
次に、該他の機器が前記電力供給のみを目的とする所定の機器であるか否かを判定し、該所定の機器であると判定した場合には該所定の機器からの前記電力供給を受けるとともに、前記入力手段による操作入力の受入れを許容する第２の動作モードへ移行するように装置を制御する制御手段を具備することを特徴とするデバイス装置。
【請求項２】
表示装置を備え、
前記制御手段は、前記第１動作モードへの移行に際し、その旨を前記表示装置により表示することを特徴とする請求項１に記載のデバイス装置。
【請求項３】
前記制御手段は、前記第１動作モードへの移行の後、前記入力手段により所定の方法に従った操作入力が行われた場合には、前記第２動作モードへ移行するように装置を制御するものであることを特徴とする請求項１又は２に記載のデバイス装置。
【請求項４】
所定のデータを記憶する記憶手段を備え、
前記他の機器からの操作は、前記記憶手段へのアクセスであることを特徴とする請求項１〜３のいずれか１項に記載のデバイス装置。
【請求項５】
前記接続手段を介して接続された他の機器が前記所定の機器であるか否かに拘わらず該接続がなされたときに前記第２動作モードへ移行する設定を受け入れる設定手段を有することを特徴とする請求項１〜４のいずれか１項に記載のデバイス装置。
【請求項６】
装置各部に電力を供給する充電池を備え、
前記電源線を介して供給を受ける電力は、前記充電池の充電に用いられることを特徴とする請求項１〜５のいずれか１項に記載のデバイス装置。
【請求項７】
請求項１〜６のいずれかのデバイス装置における各手段としてコンピュータを機能させることを特徴とするプログラム。
【請求項８】
操作入力を受け入れるための入力手段と、
電源線を含む所定のバスを介して他の機器との接続を行うための接続手段とを備え、
前記接続手段を介して接続された他の機器から前記電源線を介して電力の供給を受けることが可能なデバイス装置における制御方法であって、
前記接続手段を介して他の機器との接続がなされたとき、これに応じて、該他の機器からの操作を許容し、前記入力手段による操作入力の受入れを許否する第１の動作モードへ移行し、
次に、該他の機器が前記電力供給のみを目的とする所定の機器であるか否かを判定し、該所定の機器であると判定した場合には該所定の機器からの前記電力供給を受けるとともに、前記入力手段による操作入力の受入れを許容する第２の動作モードへ移行するように前記デバイス装置を制御することを特徴とする制御方法。
【発明の詳細な説明】
【技術分野】
【０００１】
本発明は電源線を含む所定のバスを介して他の機器との接続を行うことが可能なデバイス装置、該デバイス装置における各手段としてコンピュータを機能させるプログラム、及び該デバイス装置における制御方法に関する。
【背景技術】
【０００２】
図４はＵＳＢ端子を備えた従来のデジタルオーディオプレーヤ（以下、「ＤＡＰ」という。）における動作の一部を示すフローチャートである。このＤＡＰは充電池及びＵＳＢ端子（Ｂ端子）を備え、ＵＳＢマスストレージクラスに対応している。ＵＳＢ端子を介して電力が供給されない場合には、充電池により動作する。ＵＳＢ端子を介してＵＳＢ−ＡＣアダプタが接続された場合には、ＵＳＢ−ＡＣアダプタから供給される電力に基づいて動作し、充電池への充電が行われる。以下、この動作モードを「プレーヤ動作モード」という。パソコン等のＵＳＢホスト機器が接続された場合には、ＵＳＢホスト機器から供給される電力に基づいて充電池への充電が行われるとともに、ＵＳＢマスストレージクラスのデバイスとして動作する。この動作モードを、以下、「ホストリンク動作モード」という。
【０００３】
図４の処理はＵＳＢ端子を介したホスト機器等との接続がなされていない状態や、物理的な接続はなされているが、ホスト機器等の電源がオフである状態において開始される。同図に示すように、処理を開始すると、ＤＡＰはまず、ステップ４１において、ＵＳＢ端子を介したＵＳＢ接続の有無を監視する。ＵＳＢ接続の有無はＵＳＢ端子における電源線（Ｖｂｕｓ）の電圧（５Ｖ）の有無により検出する。ＵＳＢ接続がなされたことが検出されない間、ＤＡＰは充電池から供給される電力に基づいて通常の動作を行う。すなわちこの間、ＤＡＰはたとえば、楽曲の選択を受け入れ、選択された楽曲の再生を行うことができる。
【０００４】
ステップ４１においてＵＳＢ接続がなされたことを検出すると、ＤＡＰに対してＵＳＢ接続された機器がＵＳＢホスト機器であるか又はＵＳＢ−ＡＣアダプタであるかを判定する。この判定は、デバイスディスクリプタの要求等の所定のコマンドをＵＳＢ端子を介して受信したかどうかにより行うことができる。すなわち、該コマンドを送信するのはＵＳＢホスト機器であるから、該コマンドを受信した場合は、接続された機器はＵＳＢホスト機器であり、該コマンドを受信しない場合にはＵＳＢ−ＡＣアダプタであると判定することができる。
【０００５】
接続された機器がＵＳＢ−ＡＣアダプタであると判定した場合には、ステップ４３へ進み、プレーヤ動作モードに移行する。すなわちこの後、ＵＳＢ接続が解除されるまで、ＤＡＰはＵＳＢ−ＡＣアダプタから供給される電力に基づいて動作し、充電池への充電がなされる。この間、ユーザはＤＡＰを通常通り操作することができる。プレーヤ動作モードに移行すると、ステップ４４において、ＵＳＢ接続が解除されるかどうかの監視を開始する。ＵＳＢ接続の解除の有無は、ＵＳＢ端子における電源線（Ｖｂｕｓ）電圧の有無に基づいて検出することができる。ＵＳＢ接続の解除を検出すると、プレーヤ動作モードが解除となり、図４の処理を終了する。この後、ＤＡＰは充電池のみにより動作を継続する。すなわち再度、図４の処理が開始されることになる。
【０００６】
ステップ４２において、ＵＳＢ接続された機器がＵＳＢホスト機器であると判定した場合にはステップ４５へ進み、ホストリンク動作モードに移行する。すなわちこれ以後、ＤＡＰはＵＳＢマスストレージクラスのデバイスとして動作し、ホスト機器からの充電を受ける。ホストリンク動作モードに移行すると、ステップ４６において、ＵＳＢ接続が解除されるかどうかの監視を開始する。ＵＳＢ接続解除の有無は、ＵＳＢ端子における電源線（Ｖｂｕｓ）電圧の有無に基づいて検出することができる。ＵＳＢ接続の解除を検出すると、プレーヤ動作モードを解除し、図４の処理を終了する。この後、ＤＡＰは充電池のみにより通常の動作を行う。すなわち再度、図２の処理が開始されることになる。
【０００７】
なお、このように、ＵＳＢ端子を備え、ＵＳＢ−ＡＣアダプタ又はＵＳＢホスト機器を接続することができるようにした装置としては、たとえば特許文献１に記載された情報処理装置が知られている。この情報処理装置においては、ＵＳＢ端子の電源線（Ｖｂｕｓ）における所定電位を検出した後に、情報処理装置が所定のコマンドをＵＳＢホスト機器から受信するまでは、情報処理装置本体に設けられた操作キーから与えられる操作情報に従って処理を行う第１動作モードで動作し、前記コマンドの受信後は、ＵＳＢ端子を介して供給されるＵＳＢホスト機器からのコマンドに従って処理を行う第２動作モードへ移行するようにしている。
【０００８】
【特許文献１】特許第３７５６８８２号公報
【発明の開示】
【発明が解決しようとする課題】
【０００９】
しかしながら、上述従来のＤＡＰ又は情報処理装置においては、装置単体で動作している状態においてＵＳＢ−ＡＣアダプタを接続したとき、プレーヤ動作モードへ移行し又は第１動作モードを維持するが、ユーザから見た動作には変わりはないので、ＵＳＢ−ＡＣアダプタがインジケータや画面表示により給電表示を行う機能を有していない場合には、ＵＳＢ−ＡＣアダプタが確実に接続され、ＵＳＢ−ＡＣアダプタから給電が開始されたことを確認することができない。さらにＤＡＰの場合、端子間の接続が不十分であるときには、ユーザはそれに気づかずに、充電池への充電が行われなまま放置してしまうおそれもある。
【００１０】
特に、ＤＡＰ又は情報処理装置のＵＳＢ端子にＵＳＢケーブルを接続したまま、ＵＳＢケーブルの反対側をＵＳＢ−ＡＣアダプタに接続した場合や、ＤＡＰ又は情報処理装置とＵＳＢ−ＡＣアダプタとをＵＳＢケーブルで接続した状態で、ＵＳＢ−ＡＣアダプタに電力を供するするＡＣコンセントのスイッチをオンする場合には、給電開始の有無を判断できないので、その都度、各接続部分における接続が確実になされているかを点検しなければならない。しかも、点検した後においても、接続が確実であることを確信することはできない。
【００１１】
本発明の目的は、かかる従来技術の問題点に鑑み、ＤＡＰ等のデバイス装置において、ＵＳＢ接続が電力供給のみの目的でなされた場合に、そのＵＳＢ接続が確実になされたことを確信することができるようにすることにある。
【課題を解決するための手段】
【００１２】
この目的を達成するため、第１の発明に係るデバイス装置は、操作入力を受け入れるための入力手段と、電源線を含む所定のバスを介して他の機器との接続を行うための接続手段とを備え、前記接続手段を介して接続された他の機器から前記電源線を介して電力の供給を受けることが可能なデバイス装置であって、前記接続手段を介して他の機器との接続がなされたとき、これに応じて、該他の機器からの操作を許容し、前記入力手段による操作入力の受入れを許否する第１の動作モードへ移行し、次に、該他の機器が前記電力供給のみを目的とする所定の機器であるか否かを判定し、該所定の機器であると判定した場合には該所定の機器からの前記電力供給を受けるとともに、前記入力手段による操作入力の受入れを許容する第２の動作モードへ移行するように装置を制御する制御手段を具備することを特徴とする。
【００１３】
第２の発明に係るデバイス装置は、第１発明において、表示装置を備え、前記制御手段は、前記第１動作モードへの移行に際し、その旨を前記表示装置により表示することを特徴とする。
【００１４】
第３の発明に係るデバイス装置は、第１又は第２発明において、前記制御手段は、前記第１動作モードへの移行の後、前記入力手段により所定の方法に従った操作入力が行われた場合には、前記第２動作モードへ移行するように装置を制御するものであることを特徴とする。
【００１５】
第４の発明に係るデバイス装置は、第１〜第３のいずれかの発明において、所定のデータを記憶する記憶手段を備え、前記他の機器からの操作は、前記記憶手段へのアクセスであることを特徴とする。
【００１６】
第５の発明に係るデバイス装置は、第１〜第４のいずれかの発明において、前記接続手段を介して接続された他の機器が前記所定の機器であるか否かに拘わらず該接続がなされたときに前記第２動作モードへ移行する設定を受け入れる設定手段を有することを特徴とする。
【００１７】
第６の発明に係るデバイス装置は、第１〜第５のいずれかの発明において、装置各部に電力を供給する充電池を備え、前記電源線を介して供給を受ける電力は、前記充電池の充電に用いられることを特徴とする。
【００１８】
第７の発明に係るプログラムは、第１〜第６のいずれかの発明に係るデバイス装置における各手段としてコンピュータを機能させることを特徴とする。
【００１９】
第８の発明に係る制御方法は、操作入力を受け入れるための入力手段と、電源線を含む所定のバスを介して他の機器との接続を行うための接続手段とを備え、前記接続手段を介して接続された他の機器から前記電源線を介して電力の供給を受けることが可能なデバイス装置における制御方法であって、前記接続手段を介して他の機器との接続がなされたとき、これに応じて、該他の機器からの操作を許容し、前記入力手段による操作入力の受入れを許否する第１の動作モードへ移行し、次に、該他の機器が前記電力供給のみを目的とする所定の機器であるか否かを判定し、該所定の機器であると判定した場合には該所定の機器からの前記電力供給を受けるとともに、前記入力手段による操作入力の受入れを許容する第２の動作モードへ移行するように前記デバイス装置を制御することを特徴とする。
【発明の効果】
【００２０】
本発明によれば、デバイス装置において、他の機器からの接続が電力供給のみの目的でなされた場合、一時的に操作入力の受入れが許否されることを確認することにより、該接続が確実になされたことを確信することができる。
【発明を実施するための最良の形態】
【００２１】
図１は本発明の一実施形態に係るＤＡＰ１０の構成を示すブロック図である。同図に示すように、ＤＡＰ１０は本体素子部１、ＵＳＢ（ユニバーサル・シリアル・バス）を介してホスト機器又はＵＳＢ−ＡＣアダプタとの接続を行うための接続部２、接続部２を経てホスト機器又はＵＳＢ−ＡＣアダプタから供給される電力を本体素子部１へ供給する電源供給部３、接続部２に接続されたホスト機器又はＵＳＢ−ＡＣアダプタと、本体素子部１との間のデータ入出力を行うためのデータ入出力部４、並びに本体素子部１からのオーディオ信号を出力する出力部５を備える。ＤＡＰ１０はＵＳＢマスストレージクラスに対応している。
【００２２】
接続部２はＵＳＢ端子（Ｂ端子）を備える。ＵＳＢ端子の電源端子（Ｖｂｕｓ端子）は電源供給部３に接続され、信号端子はデータ入出力部４に接続される。出力部５は、本体素子部１からのオーディオ信号を外部機器へ出力するための外部出力端子、スピーカへ出力するためのスピーカ出力端子、及びヘッドホンへ出力するためのヘッドホン出力端子を備える。ＤＡＰ１０は、図示していない充電池を備え、電源端子を経て電源が供給されずに単体で動作する場合には、該充電池に蓄積された電力に基づいて動作する。該充電池に対する充電用の電力は、接続部２を介してホスト機器又はＵＳＢ−ＡＣアダプタがＵＳＢ接続されているとき、電源供給部３から供給することができる。
【００２３】
本体素子部１は、必要な情報処理や各部の制御を行うシステムマイコン１１、楽曲データ等を記憶する記憶部１２、記憶部１２から読み出され又は記憶部１２に書き込まれる楽曲データに対し、エンコードやデコード等の信号処理を行うＤＳＰ（デジタルシグナルプロセッサ）１３、ＤＳＰ１３からのデコードされた楽曲データをアナログ音声信号に変換するＤ／Ａコンバータ１４、Ｄ／Ａコンバータ１４からのアナログ音声信号を増幅して出力部５に供給する増幅部１５、システムマイコン１１が必要な情報をユーザに対して表示するための表示部１６、及びシステムマイコン１１に対してユーザが操作入力を行うための操作部１７を備える。記憶部１２が記憶する楽曲データとしては、たとえば、ＭＰ３、ＷＭＡ、ＡＡＣ等のファイル形式のものが該当する。
【００２４】
記憶部１２はハードディスクドライブや半導体メモリ等により構成される。ホスト機器が接続部２に対してＵＳＢ接続された場合、ＤＡＰ１０はＵＳＢマスストレージクラスのデバイスとして機能する。このとき、記憶部１２に対しては、データ入出力部４を介し、ホスト機器からの読み書きが可能となり、ＤＳＰ１３からのアクセスは不能となる。これに応じてＤＡＰ１０は、操作部１７における操作入力の受入れを停止する。ただし上述のように、充電地への充電が電源供給部３を介して行われる。このときのＤＡＰ１０の動作モードを、ここでは「ホストリンク動作モード」という。これに対し、ＵＳＢ−ＡＣアダプタが接続部２に接続され、ＵＳＢ−ＡＣアダプタから電源線（Ｖｂｕｓ）及び電源供給部３を経て供給される電力に基づいて動作し、及び充電池への充電が行われる場合のＤＡＰ１０の動作モードを、ここでは「プレーヤ動作モード」という。プレーヤ動作モードにおいては、ＤＡＰ１０は、システムマイコン１１により指定された記憶装置１２内の楽曲データをＤＳＰ１３によりエンコードして、ＤＡＣ１４、増幅装置１５、及び出力部５を経て外部へ出力することができる。
【００２５】
図２はシステムマイコン１１による処理の一部を示すフローチャートである。この処理は接続部２へのＵＳＢ接続がなされていない状態、すなわちＤＡＰ１０が充電地からの電力のみにより動作している状態において開始される。この状態には、接続部２へのホスト機器等の物理的な接続はなされているが、ホスト機器等の電源がオフ状態であり、電源線を介した電力の供給が行われていない状態も含まれる。
【００２６】
処理を開始すると、システムマイコン１１はまず、ステップ２１において、接続部２へのＵＳＢ接続の有無を監視する。ＵＳＢ接続の有無はＵＳＢ端子における電源線（Ｖｂｕｓ）の電圧（５Ｖ）の有無により判定することができる。ＵＳＢ接続が検出されない間はＤＡＰ１０は充電池から供給される電力に基づいて通常の動作を行う。すなわち、この間においては、システムマイコン１１は、操作部１７及び表示部１６を介して記憶部１２中の楽曲データの楽曲の指定を受け入れ、指定された楽曲の楽曲データに基づき、ＤＳＰ１３、ＤＡＣ１４、増幅部１５、及び出力部５を介して音声信号を再生し、出力することができる。
【００２７】
ステップ２１においてＵＳＢ接続を検出すると、ＤＡＰ１０はホストリンク動作モードに移行する。すなわち、電源供給部３は電源線（Ｖｂｕｓ）を経て供給される電力の充電池や本体素子部１への供給を開始するとともに、システムマイコン１１は操作部１７における操作入力の受入れを停止する。また、楽曲の再生中であれば、再生を停止する。したがってユーザは、電力供給を受けているＵＳＢ−ＡＣアダプタをＤＡＰ１０に接続した場合や、ＤＡＰ１０に接続されているＵＳＢ−ＡＣアダプタに電力供給を開始した場合には、その際に操作部１７を操作してみて操作が不能となったことを確かめることにより、ＵＳＢ−ＡＣアダプタからＤＡＰ１０への電力供給が開始されたことを確信することができる。
【００２８】
次に、ステップ２３において、ＵＳＢ接続がなされた機器はホスト機器であるか又はＵＳＢ−ＡＣアダプタであるかどうかを判定する。この判定は、デバイスディスクリプタの要求等の所定のコマンドを、ＵＳＢ端子を介して受信したかどうかにより行うことができる。すなわち、該コマンドを送信するのはホスト機器であるから、該コマンドを受信した場合には、接続された機器はホスト機器であり、該コマンドを受信しない場合にはＵＳＢ−ＡＣアダプタであると判定することができる。
【００２９】
接続された機器がＵＳＢ−ＡＣアダプタであると判定した場合には、ステップ２４へ進み、プレーヤ動作モードに移行する。すなわち、この後、ＵＳＢ接続が解除されるまで、ＵＳＢ−ＡＣアダプタから電源線（Ｖｂｕｓ）及び電源供給部３を介して供給される電力に基づいて充電池への充電がなされ、ＤＡＰ１０は通常通り動作する。プレーヤ動作モードに移行すると、ステップ２５においてＵＳＢ接続が解除されるかどうかの監視を開始する。この接続解除の有無は、ＵＳＢ端子における電源線（Ｖｂｕｓ）電圧の有無に基づいて検出することができる。ＵＳＢ接続の解除を検出すると、プレーヤ動作モードが解除となり、図２の処理を終了する。この後、ＤＡＰ１０は充電池のみにより通常の動作を継続する。すなわち再度、図２の処理が開始されることになる。
【００３０】
ステップ２３において、接続された機器がホスト機器であると判定した場合には、ステップ２６へ進み、ホストリンク動作モードを維持する。すなわち、この後、ユーザはＤＡＰ１０を操作部１７により操作することはできないが、ホスト機器から記憶部１２へのアクセスを行い、記憶部１２における楽曲データの読み書きや、楽曲データの編集を行うことができる。また、ホスト機器から電源線（Ｖｂｕｓ）を介したＤＡＰ１０への電力供給も行われる。システムマイコン１１はホストリンク動作モードにある間、ステップ２７において、ホスト機器とのＵＳＢ接続が解除されるかどうかの監視を行う。このＵＳＢ接続解除の有無は、ＵＳＢ端子における電源線（Ｖｂｕｓ）電圧の有無に基づいて検出することができる。あるいはホスト機器からの通信コマンドが停止したかどうかに基づいて検出するようにしてもよい。ＵＳＢ接続の解除を検出すると、ホストリンク動作モードを終了し、図２の処理を終了する。この後、プレーヤ１０は充電池のみにより、通常の動作を行う。すなわち再度、図２の処理が開始されることになる。
【００３１】
以上説明したように、本実施形態によれば、ＵＳＢ−ＡＣアダプタが接続部２に接続された場合、ホストリンク動作モードへ移行し（ステップ２２）、その後にホスト機器の接続有無の判定（ステップ２３）を経てプレーヤ動作モードに移行する（ステップ２４）ようにしたため、ユーザは、ＵＳＢ−ＡＣアダプタをＤＡＰ１０に接続する際に、操作部１７からの操作が一時的に不能となることを確かめることにより、ＵＳＢ−ＡＣアダプタがＤＡＰ１０に対して確実に接続されたことを確信することができる。
【００３２】
図３は本発明の別の実施形態に係るＤＡＰにおける処理の一部を示すフローチャートである。このＤＡＰについては図１の構成がそのまま適用される。ただし、本実施形態に係るＤＡＰ１０は、接続部２へのＵＳＢ接続が検出された場合に、そのＵＳＢ接続がホスト機器からのものであるか否かに拘わらず強制的にプレーヤ動作モードとする設定（以下、「強制プレーヤ動作設定」という。）を受け入れることができるようになっている。これに応じて、図３の処理は図２の処理に対してステップ３３の処理を追加したものとなっている。図３におけるステップ３１、３２、及び３４〜３８の処理は、図２中のステップ２１、２２、及び２３〜２７の処理と同じである。
【００３３】
図３に示すように、システムマイコン１１は、ＵＳＢ接続の検出に応じ、ホストリンク動作モードに移行すると（ステップ３１、３２）、その後、ステップ３３において、強制プレーヤ動作設定がなされているかどうかを判定する。強制プレーヤ動作設定がなされていると判定した場合には無条件でステップ３５へ進み、プレーヤ動作モードへ移行する。強制プレーヤ動作設定がなされていないと判定した場合には、ステップ３４へ進み、ＵＳＢ接続がＵＳＢ−ＡＣアダプタからのものであるか又はホスト機器からのものであるかに応じて、プレーヤ動作モードへ移行し、又はホストリンク動作モードを維持する（ステップ３４、３５、３７）。他の点については図２の処理の場合と同様である。
【００３４】
本実施形態によれば、強制プレーヤ動作設定を行っておくことにより、ＤＡＰ１０に対してホスト機器を接続した際に、ホスト機器を接続したままプレーヤ動作モードでＤＡＰ１０を動作させることができる。たとえば、ユーザはステップ３２のホストリンク動作モードへの移行が行われる直前に、強制プレーヤ動作設定を行うことによって、ホスト機器により充電池への充電のみを行いながら、ＤＡＰ１０を通常通り操作することができる。
【００３５】
なお、ＤＡＰ１０のパワーオフ状態においてＵＳＢ接続によりＤＡＰ１０が起動する場合には、図２や図３の処理が直ちに起動し、ステップ２１や３１の監視が開始されることになる。
【００３６】
なお、本発明は上述実施形態に限定されることなく、適宜変形して実施することができる。たとえば、上述においては言及しなかったが、図２や図３の処理において、ホストリンク動作モード又はプレーヤ動作モードで動作しているときに、その旨を表示部１６において表示する処理を加えてもよい。
【００３７】
また、上述においては、ステップ２３の処理において、ＵＳＢ接続がなされた機器がホスト機器であるか又はＵＳＢ−ＡＣアダプタであるかどうかの判定を、所定のコマンドを受信したかどうかにより行うようにしているが、この代わりに、ＵＳＢ−ＡＣアダプタの電源線（Ｖｂｕｓ）の電圧を規格により定められた範囲外の電圧とし、この電圧が検出されたかどうかに基づいて該判定を行うようにしてもよい。あるいは、ＵＳＢ−ＡＣアダプタの信号線（Ｄ＋、Ｄ−）をプルアップし、接続部２における信号線がこの状態にあるか否かに基づいて該判定を行うようにしてもよい。つまり、通信コマンドの有無によりホスト機器の接続の有無を検出するのではなく、ハード的にＵＳＢ−ＡＣアダプタの接続状態を作り出してＵＳＢ−ＡＣアダプタの接続の有無を検出するようにしてもよい。
【００３８】
また、上述においては、ステップ２２又は３２においてホストリンク動作モードに移行したとき、楽曲の再生を行っている場合には再生を停止するようにしているが、その直後のステップ２４又は２５においてプレーヤ動作モードに移行した場合には、該再生を該停止位置から継続するようにしてもよい。あるいは、再生を継続することなく、ユーザが任意に選択する楽曲の再生を行うようにしてもよい。なお、ホストリンク動作モードが維持される場合（ステップ２６、３７）には、再生の停止位置はクリアされ、再生の続行は不可能となる。
【００３９】
また、上述においては言及しなかったが、ホストリンク動作モードへの移行（ステップ２６、３７）の後、操作部１７により所定の方法に従った操作入力が行われた場合には、プレーヤ動作モードへ移行するようにしてもよい。所定の方法に従った操作入力としてはたとえば、所定のキーを所定時間以上長押しする操作入力や、所定の２以上のキーを同時に押下する操作入力が該当する。
【図面の簡単な説明】
【００４０】
【図１】本発明の一実施形態に係るＤＡＰの構成を示すブロック図である。
【図２】図１のＤＡＰのシステムマイコンによる処理の一部を示すフローチャートである。
【図３】本発明の別の実施形態に係るＤＡＰにおける処理の一部を示すフローチャートである。
【図４】従来のデジタルオーディオプレーヤにおける動作の一部を示すフローチャートである。
【符号の説明】
【００４１】
１：本体素子部、２：接続部、３：電源供給部、４：データ入出力部、５：出力部、１１：システムマイコン、１２：記憶部、１３：ＤＳＰ、１４：Ｄ／Ａコンバータ、１５：増幅部（アンプ）、１６：表示部、１７：操作部。
【図１】
2010060678.tif 000003
【図２】
2010060678.tif 000004
【図３】
2010060678.tif 000005
【図４】
2010060678.tif 000006